(57)【要約】【課題】本発明は厚みの異なる複数の電子カードを共通して利用することができ、薄い電子カードに対応して小型化及び薄型化を達成した電子カード装着装置を提供することを目的する。【解決手段】本発明の電子カード装着装置は、ホルダが電子機器本体に対して回動可能であり、厚みの異なる電子カードを収納するよう構成されており、ガイド手段がホルダの回転支軸を実質的に回動可能に支持し、かつ収納された電子カードの厚み方向に回転支軸を所定距離移動可能に保持するよう構成されており、且つ保持ばねが回転支軸を電子機器内部の方向へ付勢するよう構成されている。【選択図】        図６
2004318265.tif 000002
【特許請求の範囲】
【請求項１】
電子機器の内部に配設される電子カード装着装置フレーム、
前記電子カード装着装置フレームに対して回動可能であり、厚みの異なる電子カードを保持するホルダ、
前記電子カード装着装置フレームに設けられ、前記ホルダの回転支軸を実質的に回動可能に支持し、かつ前記電子機器内部に装填された電子カードの厚み方向に前記回転支軸を所定距離移動可能に保持するガイド手段、
装填された前記電子カードの厚み方向における前記電子機器内部の方向へ前記回転支軸を付勢する第１の押圧手段、
前記ホルダを前記回転支軸を回転中心として回動させて前記電子機器外部へ突出するよう付勢する第２の押圧手段、及び
前記ホルダが前記電子機器外部に突出しないよう前記第２の押圧手段の付勢力に抗して前記ホルダと前記電子カード装着装置フレームとを係合させるロック手段、
を具備することを特徴とする電子カード装着装置。
【請求項２】
電子機器に収納され、半導体メモリと配線基板が実装されて前記半導体メモリと電子機器とを電気的に接続する端子を備えた厚みの異なる複数の電子カードのいずれか一つが選択的に装填される電子カード装着装置であって、
前記電子カードは、実質的に同一の平面形状を有し、厚みの厚い第１本体部と厚みの薄い第２本体部とにより段差を有して構成された第１の電子カードと、厚みの厚い本体部で実質的に全体が構成された第２の電子カードとを少なくとも有して構成され、
前記第１の電子カード又は前記第２の電子カードの挿入をガイドして保持するホルダと、
前記ホルダにおける挿入方向の奥側に配置され、前記第１の電子カード及び前記第２の電子カードの端子が接続される電子機器本体側端子を有する接点ベースと、
装填された前記第１の電子カードの第２本体部に対向して配設された部品収納部と、
前記ホルダを前記電子機器本体に対して回動可能であり、装填された前記電子カードの厚み方向に所定距離移動可能に保持するガイド手段と、
前記ホルダを装填された前記電子カードの厚み方向における前記電子機器本体内部の方向へ付勢する第１の押圧手段とを具備し、
前記第２の電子カードを挿入した場合には、前記第１の電子カードの装填時に第２本体部が対向する部品収納部に前記第２の電子カードが当接して、前記第１の押圧手段の付勢力に抗して前記ホルダが前記電子機器本体表面より突出するよう構成されたことを特徴とする電子カード装着装置。
【請求項３】
前記ホルダは、前記電子カードの挿入又は取出し時に開放され、前記電子カード装填完了時に閉鎖される蓋体と一体的に構成したことを特徴とする請求項１又は２に記載の電子カード装着装置。
【請求項４】
前記第１の電子カードは、平板な面を有する主面と、厚みの厚い第１本体部と厚みの薄い第２本体部とにより形成される段差を有する副面とを有して構成され、
前記第１の電子カードが挿入された場合に、主面側に蓋体に配置され、副面側に電子機器本体の構成部品及び／又は収納部品が配置されるよう構成したことを特徴とする請求項３に記載の電子カード装着装置。
【請求項５】
前記ガイド手段は電子機器本体に固着されたガイド部を有し、前記ガイド部が前記電子カードの両側面部をガイドする前記ホルダを回動可能に且つ前記電子カードの厚み方向に所定距離移動可能に保持するよう構成したことを特徴とする請求項１又は２に記載の電子カード装着装置。
【請求項６】
前記ガイド手段は電子機器本体に固着されたガイド部を有し、前記ガイド部に前記電子カードの厚み方向に長い長孔を有し、前記長孔に前記電子カードの両側面部をガイドする前記ホルダの回転支軸を係合させて、前記ホルダを回動可能に且つ前記電子カードの厚み方向に所定距離移動可能に保持するよう構成したことを特徴とする請求項１又は２に記載の電子カード装着装置。
【請求項７】
前記ホルダは、前記蓋体と共に電子機器本体に回動可能に保持され、前記蓋体の開放時に前記ホルダが前記蓋体と共に電子機器本体から突出するよう構成したことを特徴とする請求項３に記載の電子カード装着装置。
【請求項８】
前記電子カードの端子が接続される電子機器本体側端子が、フレキシブル回路基板により電子機器本体内の基板に電気的に接続されるよう構成したことを特徴とする請求項１又は２に記載の電子カード装着装置。
【請求項９】
前記電子カードの端子が接続される電子機器本体側端子が電子機器本体内の基板に設けられたことを特徴とする請求項１又は２に記載の電子カード装着装置。
【発明の詳細な説明】
【０００１】
【発明の属する技術分野】
本発明は、デジタルカメラ等の電子機器に搭載され、ＩＣメモリーカード等の電子カードを収納接続するための電子カード装着装置に関するものである。
【０００２】
【従来の技術】
デジタルカメラ等の電子機器において、脱着可能な半導体メモリとして、厚みの異なる各種電子カードが用いられている。図１２と図１３は厚みの異なる従来の電子カードを電子機器内の基板１０７上に設けた電子カード装着装置に収納接続した状態を示す断面図である。図１２は厚みの薄い従来の電子カード８０を電子機器内の従来の電子カード装着装置に装填した状態を示しており、図１３は図１２に示した電子カード８０より厚みの厚い従来の電子カード９０を図１２に示した電子カード装着装置に装填した状態を示している。図１２に示すように、従来の電子カード装着装置におけるフレーム１０１は厚い電子カード９０を収納できるよう形成されているため、この電子カード装着装置に薄い電子カード８０が収納されたとき、装置内空間には空き空間が形成されていた。この空き空間は、厚い電子カード９０が装填されるときのために確保する必要が有り、他の部品を配置することができない空間であった。
【０００３】
【特許文献１】
特開２００１−１３５３８５号公報
【０００４】
【発明が解決しようとする課題】
上記のように構成された従来の電子カード装着装置において、厚い電子カードと薄い電子カードの２種類を共有して利用できる構成の場合には、薄い電子カードが装填される電子機器であっても小型化及び薄型化を図ることができなかった。
電子カード装着装置においては、電子機器の小型化及び薄型化に対応して、電子機器内の空間を最大限に利用し得る形態が要求されている。電子カード自体は従来の電子カードより小型化及び薄型化されたものが提供されているが、使用者の利便性を配慮して、厚みの異なる電子カードを共通して利用し得る電子カード装着装置を提供する必要があった。しかし、従来の電子カード装着装置において、厚みの異なる電子カードが装着され得る構成にした場合には、厚みの厚い電子カードに対応するよう構成するため、薄い電子カードに対応して小型化及び薄型化を図ることができなかった。したがって、このような電子カード装着装置が設けられた電子機器では、薄い電子カードを用いることによる小型化及び薄型化を達成することができないという問題があった。
【０００５】
本発明は、厚みの異なる複数の電子カードを共通して利用することができ、且つ薄い電子カードに対応して小型化及び薄型化を図ることができる電子カード装着装置を提供して、電子機器の小型化及び薄型化に貢献することを目的としてなされたものである。
【０００６】
【課題を解決するための手段】
上記の目的を達成するために、請求項１に係る電子カード装着装置は、
電子機器の内部に配設される電子カード装着装置フレームと、
前記電子カード装着装置フレームに対して回動可能であり、厚みの異なる電子カードを保持するホルダと、
前記電子カード装着装置フレームに設けられ、前記ホルダの回転支軸を実質的に回動可能に支持し、かつ前記電子機器内部に装填された電子カードの厚み方向に前記回転支軸を所定距離移動可能に保持するガイド手段と、
装填された前記電子カードの厚み方向における前記電子機器内部の方向へ前記回転支軸を付勢する第１の押圧手段と、
前記ホルダを前記回転支軸を回転中心として回動させて前記電子機器外部へ突出するよう付勢する第２の押圧手段と、
前記ホルダが前記電子機器外部に突出しないよう前記第２の押圧手段の付勢力に抗して前記ホルダと前記電子カード装着装置フレームとを係合させるロック手段とを具備する。このように構成された請求項１に記載された電子カード装着装置においては、厚みの異なる電子カードを装填することが可能であり、厚みの薄い電子カードが装填されたときにはガイド手段がホルダを電子機器の内側方向で保持し、厚みの厚い電子カードが装填されたときにはガイド手段がホルダを電子機器の外側方向に移動させて保持し、電子機器内の空間を効率的に利用して機器の小型化を達成している。
【０００７】
請求項２に係る電子カード装着装置は、電子機器に収納され、半導体メモリと配線基板が実装されて前記半導体メモリと電子機器とを電気的に接続する端子を備えた厚みの異なる複数の電子カードのいずれか一つが選択的に装填される電子カード装着装置であって、前記電子カードが、実質的に同一の平面形状を有し、厚みの厚い第１本体部と厚みの薄い第２本体部とにより段差を有して構成された第１の電子カードと、厚みの厚い本体部で実質的に全体が構成された第２の電子カードとを少なくとも有して構成されている。そして、請求項２に係る電子カード装着装置は、前記第１の電子カード又は前記第２の電子カードの挿入をガイドして保持するホルダと、
前記ホルダにおける挿入方向の奥側に配置され、前記第１の電子カード及び前記第２の電子カードの端子が接続される電子機器本体側端子を有する接点ベースと、
装填された前記第１の電子カードの第２本体部に対向して配設された部品収納部と、
前記ホルダを前記電子機器本体に対して回動可能であり、装填された前記電子カードの厚み方向に所定距離移動可能に保持するガイド手段と、
前記ホルダを装填された前記電子カードの厚み方向における前記電子機器本体内部の方向へ付勢する第１の押圧手段とを具備し、
前記第２の電子カードを挿入した場合には、前記第１の電子カードの装填時に第２本体部が対向する部品収納部に前記第２の電子カードが当接して、前記第１の押圧手段の付勢力に抗して前記ホルダが前記電子機器本体表面より突出するよう構成されている。上記におけるガイド手段は後述する図６に示したガイド部６を少なくとも有し、第１の押圧手段は図６における保持ばね１１を示し、第２の押圧手段は図６における開閉ばね１０を示す。請求項２に記載された電子カード装着装置においては、第１の電子カードと第２の電子カードのいずれも装填可能な構成となり、厚みの厚い第２の電子カードを装填したとき電子機器本体より電子カード装着部分が突出する構成であり、厚みの薄い第１の電子カードを装填したとき電子機器本体の外表面と電子カード装着部分の外表面が実質的に同一平面となる。
【０００８】
請求項３に係る電子カード装着装置は、請求項１又は２に係る電子カード装着装置において、ホルダが電子カードの挿入又は取出し時に開放され、電子カード装填完了時に閉鎖される蓋体と一体的に構成されている。請求項３に記載された電子カード装着装置によれば、電子機器の部品点数を低減し、蓋体部分の占有寸法の縮小を図ることが可能となる
【０００９】
請求項４に係る電子カード装着装置は、請求項３に係る電子カード装着装置において、第１の電子カードが、平板な面を有する主面と、厚みの厚い第１本体部と厚みの薄い第２本体部とにより形成される段差を有する副面とを有して構成され、
前記第１の電子カードが挿入された場合に、主面側に蓋体に配置され、副面側に電子機器本体の構成部品及び／又は収納部品が配置されるよう構成されている。請求項４における主面は、後述する実施の形態においては、例えば図１に示した第１の電子カード８における上側の面である。また副面は、例えば図１に示した第１の電子カード８における段差を有する面（図１における下側の面）である。請求項４に記載された電子カード装着装置によれば、電子機器の容積を有効利用して、電子機器本体を全体として小型化にすることが可能となる。
【００１０】
請求項５に係る電子カード装着装置は、請求項１又は２に係る電子カード装着装置において、ガイド手段が電子機器本体に固着されたガイド部を有し、前記ガイド部が前記電子カードの両側面部をガイドする前記ホルダを回動可能に且つ前記電子カードの厚み方向に所定距離移動可能に保持するよう構成されている。請求項５に記載された電子カード装着装置によれば、第１の電子カードと第２の電子カードを構造的に区分することなく保持することが可能となり、電子カード装着装置の構成の簡略化に大きく貢献する。
【００１１】
請求項６に係る電子カード装着装置は、請求項１又は２に係る電子カード装着装置において、ガイド手段は電子機器本体に固着されたガイド部を有し、前記ガイド部に電子カードの厚み方向に長い長孔を有し、前記長孔に前記電子カードの両側面部をガイドするホルダの回転支軸を係合させて、前記ホルダを回動可能に且つ前記電子カードの厚み方向に所定距離移動可能に保持するよう構成されている。請求項６に記載された電子カード装着装置によれば、厚みの異なる電子カードの着脱操作を簡易な動作で確実に行うことが可能となり、電子カードの保持の確実性及び操作性の向上に大きく貢献する。
【００１２】
請求項７に係る電子カード装着装置は、請求項３に係る電子カード装着装置において、ホルダは、蓋体と共に電子機器本体に回動可能に保持され、前記蓋体の開放時に前記ホルダが前記蓋体と共に電子機器本体から突出するよう構成されている。請求項７に記載された電子カード装着装置によれば、厚みの異なる電子カードの着脱操作を簡易な動作で確実に行うことが可能となり、電子カードの保持、接続の信頼性を確保し、操作性を向上させることが可能となる。
【００１３】
請求項８に係る電子カード装着装置は、請求項１又は２に記載の電子カード装着装置において、電子カードの端子が接続される電子機器本体側端子が、フレキシブル回路基板により電子機器本体内の基板に電気的に接続されるよう構成されている。請求項８に記載された電子カード装着装置によれば、厚みの異なる電子カードの着脱操作を簡易な動作で確実に行うことが可能となる。
【００１４】
請求項９に係る電子カード装着装置は、請求項１又は２に記載の電子カード装着装置において、電子カードの端子が接続される電子機器本体側端子が電子機器本体内の基板に設けられている。請求項９に記載された電子カード装着装置によれば、機器本体側端子と基板間の結線手段を廃することにより接続の信頼性向上、電子カード装着装置の簡易化及び小型化に貢献する。
【００１５】
【発明の実施の形態】
以下、本発明に係る電子カード装着装置の好適な実施の形態である実施の形態１について添付の図面を参照しつつ説明する。
【００１６】
《実施の形態１》
図１と図２は、実施の形態１の電子カード装着装置に装着される厚みの異なる電子カードを示す側面図である。図１は厚みの薄い第１の電子カード８を示し、図２は厚みの厚い第２の電子カード９を示している。第１の電子カード８及び第２の電子カード９は、それぞれ同じ平面形状を有しており、実質的な矩形状のカード体である。
【００１７】
図１に示すように、第１の電子カード８は、厚み「Ａ」を有する第１本体部８ａと厚み「Ｂ」を有する第２本体部８ｂと厚み「Ｃ」を有する接点部８ｃとを有している。第１本体部８ａ、第２本体部８ｂ及び接点部８ｃのそれぞれの厚みは、Ａ＞Ｃ＞Ｂの関係を有している。接点部８ｃには、複数の接点が設けられており、電子カード装着装置本体側に設けられた接点と接触可能に形成されている。第１の電子カード８における一方の面（図１の上側の面）は平面に形成されており、他方の面（図１の下側の面）は第１本体部８ａ、第２本体部８ｂ及び接点部８ｃにより段差を有する面に形成されている。
【００１８】
図２に示すように、第２の電子カード９は、厚み「Ｄ」を有する本体部９ａと厚み「Ｅ」を有する接点部９ｂとを有しており、それぞれの厚みは、Ｄ＞Ｅの関係を有している。本体部９ａは第１の電子カード８の第１本体部８ａと実質的に同じ厚みを有しており、第２の電子カード９は接点部９以外の全ての部分が本体部９ａである。第２の電子カード９における一方の面（図２の上側の面）は平面に形成されており、他方の面（図２の下側の面）は本体部９ａ及び接点部９ｂにより段差を有する面に形成されている。
【００１９】
第２の電子カード９の接点部９ｂには、第１の電子カード８の接点部８ｃと同様に電子カード装着装置本体側の接点と接触可能に複数の接点が設けられている。図２に示すように、第２の電子カード９は、第１の電子カード８の第２本体部８ｂに相当する部分がなく、厚み「Ｄ」を有する本体部９ａが電子カード９の接点部９ｂ以外の部分に形成されている。
【００２０】
図３は記録媒体である第１の電子カード８を電子カード装着装置に挿入途中の状態を示す断面図である。図４は第１の電子カード８が挿入された電子カード装着装置の蓋体５の開閉動作を示す断面図である。図５は第１の電子カード８が電子カード装着装置の内部に装填された状態を示す断面図である。図６は図５に示すように第１の電子カード８が装填された電子カード装着装置の内部機構の側面状態を示す断面図である。図７は図５の電子カード装着装置を右側から見た横断面図である。図８は図５の電子カード装着装置を左側から見た横断面図である。
【００２１】
図３〜図８に示すように、デジタルカメラ、携帯電話等の電子機器本体６に電子カード装着装置のフレーム１が設けられている。フレーム１は、電子機器本体６の電気部品等の構成部品が実装された基板７に固着されている。電子カード装着装置のフレーム１には第１の電子カード８を保持してフレーム１に対して開閉可能なホルダ３が設けられている。ホルダ３とフレーム１との間には開閉ばね１０（図６）が設けられており、ホルダ３は回転支軸３ａを中心として回動して開放する方向に常に付勢されている。また、フレーム１にはロック手段４が設けられており、ホルダ３に形成されたロック孔３ｃにロック手段４のロック爪４ｂが係合してホルダ３の開放が禁止される。ホルダ３には電子機器本体６の外表面の一部となる蓋体５が固着されており、蓋体５はホルダ３の開閉と同時に開閉して、第１の電子カード８が電子機器本体６内に挿入されるよう構成されている。フレーム１には複数の接点を有する接点ベース２が設けられており、装填された第１の電子カード８の接点部８ｃの各接点が接点ベース２の各接点端子２ａとそれぞれ電気的に接触状態となるよう配置されている。すなわち、接点ベース２の接点端子２ａは第１の電子カード８の挿入方向における奥側に配設されている。
【００２２】
図５に示すように、電子機器本体６において、基板７に固定されている電子カード装着装置のフレーム１には段差部１ｃが形成されている。フレーム１に段差部１ｃを形成することにより、基板７上に実装された電気部品等の構成部品７ａを覆うよう部品収納部１ｄが形成されている。したがって、装填された第１の電子カード８の薄い第２本体部８ｂが部品収納部１ｄの上部の細い隙間に配置されるよう構成されている。このとき、第１の電子カード８の厚みの厚い第１本体部８ａはフレーム１の段差部１ｃより奥側に形成された空間内に配置され、接点部８ｃは接点ベース２の接点端子２ａと電気的に接続される。
【００２３】
図６に示すように、ホルダ３及び蓋体５は、一体的に形成されており、回転支軸３ａを中心に回動するよう構成されている。回転支軸３ａは接点ベース２の軸受２ｂにより回転可能に保持されており、この軸受２ｂがフレーム１に一体的に形成されたガイド手段であるガイド部１ａにより支持されている。ガイド部１ａはフレーム１の両側に一対形成されている。ガイド部１ａには、装填された第１の電子カード８の主面（図６における第１の電子カード８の上面）と直交する方向（以下、上下方向という）に延びた長孔１ｂが形成されている。すなわち、接点ベース２の軸受２ｂはガイド部１ａの長孔１ｂにより上下方向に所定距離移動可能に支持されている。また、接点ベース２にはばね受２ｃが形成されている。ばね受２ｃにはフレーム１に一端が固着された保持ばね１１の他端が係合しており、ばね受け２ｃは保持ばね１１により常に電子機器本体の内側方向（図６における下側方向）に押圧されている。
【００２４】
接点ベース２には装填される第１の電子カード８の接点部８ｃに対向する位置に、複数の電子機器本体側端子である接点端子２ａが横一列に固定して設けられている。
前述のように、接点ベース２の両側にはガイド部１ａが配設されており、接点ベース２は保持ばね１１と係合するばね受２ｃと、回転支軸３ａを回転可能に保持する軸受２ｂを各々一対両側に設けている。ばね受２ｃはガイド部１ａに上下摺動可能に係合すると共に保持ばね１１により下方に付勢されている。更に、電子機器本体側端子である接点端子２ａは結線手段であるフラットリード（フレキシブル回路基板）２ｄにより、基板７に形成されたリードコネクタ７ｂと電気的に接続されている。これにより、接点ベース２がホルダ３とともに上下に移動可能となる。
【００２５】
図６に示した電子カード装着装置を右側から見た図７の横断面図に示されているように、基板７上に実装された電気部品等の構成部品を区画した部品収納部１ｄ上部の狭い空間に、装填された第１の電子カード８の薄い第２本体部８ｂが配置されており、電子機器内の空間を効率高く利用して薄型化に対応している。
また、図６に示した電子カード装着装置を左側から見た図８の横断面図に示されているように、装填された第１の電子カード８の厚い第１本体部８ａ及び接点部８ｃが接点ベース２が設けられている空間内に配置されており、接点部８ｃの各接点が接点ベース２の接点端子２ａに確実に接触している。
【００２６】
次に、上記のように構成された実施の形態１の電子カード装着装置に図２に示した第２の電子カード９を装填した場合について説明する。
図９は記録媒体である第２の電子カード９が実施の形態１の電子カード装着装置に挿入された状態を示す断面図である。図１０は第２の電子カード９が電子カード装着装置の内部に装填された状態を示す断面図である。図１１は図１０に示すように第２の電子カード９が装填された電子カード装着装置における内部機構の側面状態を示す断面図である。
【００２７】
図９〜図１１に示すように、第２の電子カード９は前述の第１の電子カード８のように厚みの薄い第２本体部８ｂが形成されていないため、第２の電子カード９が電子カード装着装置に装填されたとき、ホルダ３及び蓋体５は電子機器本体の外表面より持ち上がって第２の電子カード９を収納している。
【００２８】
図１０に示すように、第２の電子カード９が電子カード装着装置に挿入されたとき、本体部９ａの一部がフレーム１の部品収納部１ｄと当接して、蓋体５は電子機器本体から飛び出す方向に移動する。すなわち、このとき蓋体５等は持ち上がった状態となる。このとき、接点ベース２の両側に配設されたガイド部１ａの長孔１ｂを摺動する軸受２ｂが上方向に移動して、この軸受２ｂに保持されたホルダ３の回転支軸３ａが上方向に移動する。この結果、第２の電子カード９が電子カード装着装置に装填されたとき、ホルダ３、蓋体５及び接点ベース２が電子機器本体から飛び出す方向に移動する。しかし、接点ベース２のばね受け２ｃは保持ばね１１により常に下方に付勢されているため、第２の電子カード９の本体部９ａとフレーム１の部品収納部１ｄが当接状態でホルダ３の回転支軸３ａはガイド部１ａの長孔１ｂに回動可能に保持される。このとき、接点ベース２の位置が第１の電子カード８が装填されたときの位置から持ち上がった位置に移動しているが、接点ベース２の接点端子２ａは屈曲可能なフラットリード（フレキシブル回路基板）２ｄにより基板７のリードコネクタ７ｂと電気的に確実に接続されている。
【００２９】
次に、上記のように構成された電子カード装着装置を有する電子機器における装填動作について説明する。
第１の電子カード８又は第２の電子カード９を挿入する場合には、まずロック手段４を外すため、ロックピン４ａを移動することによりロック爪４ｂをホルダ３に形成されたロック孔３ｃからの係合状態から外す。ロック爪４ｂがロック孔３ｃから外れると、開閉ばね１０の付勢力により機器外面の一部を構成する蓋体５とこの蓋体５に固着されたホルダ３が回動突出して開放状態となる（図３，４及び９参照）。このように開放された状態のホルダ３に第１の電子カード８又は第２の電子カード９が挿入される。
【００３０】
第１の電子カード８が挿入されたとき、軸受２ｂはガイド部１ａの長孔１ｂにおいて下方の位置に保持され、蓋体５は電子機器本体外面と実質的同一面を形成する。一方、第２の電子カード９が挿入されたとき、軸受２ｂはガイド部１ａの長孔１ｂにおいて上方の位置に保持され、蓋体５は電子機器本体外面から第１の電子カード８より厚い分だけ突出する。すなわち、図１及び図２において、第２の電子カード９の厚みＤから第１の電子カード８の厚みＢを引いた分だけの必要最小限だけ蓋体５が突出する。
【００３１】
なお、実施の形態１の電子カード装着装置においては、電子機器本体側端子である接点端子２ａを接点ベース２上に設け、接点ベース２をガイド部１ａにより電子カードの厚み方向に移動可能に構成しており、接点ベース２と基板７との間にフレキシブルなフラットリード２ｄを用いて電気的接続をはかっている。しかし、本発明はこのような構成に限定されるものではなく、電子機器本体側端子を基板７に直接取付けた構成とし、電子機器本体側端子の位置を装填された電子カードの接点部の接点と電気的に接触する位置とすればよい。この場合、電子機器本体側端子の配設位置は、電子カードの厚み方向にある程度の移動を見込んで設定される。このように構成した場合には、実施の形態１におけるフレキシブル回路基板であるフラットリード２ｄ及びリードコネクタ７ｂを廃止することができる。
【００３２】
以上のように、実施の形態１の電子カード装着装置によれば、第１の電子カード８を装填したとき、段差部１ｃを有するフレーム１により第１の電子カード８が無駄な空間なく収納され、機器本体外表面と蓋体５の外表面が実質的に同一平面となる。また、第１の電子カード８より厚みのある部分を有する第２の電子カードが実施の形態１の電子カード装着装置に装着されたとき、第２の電子カード９の本体部９ａがフレーム１と当接して、蓋体５が必要最低限持ち上がるよう構成されている。
【００３３】
【発明の効果】
以上、実施の形態について詳細に説明したところから明らかなように、本発明は次の効果を有する。
本発明の電子カード装着装置によれば、厚みの異なる複数の電子カードを共通して利用することができ、薄い電子カードに対応して小型化及び薄型化を達成した電子カード装着装置を提供して、電子機器の小型化及び薄型化に大きく貢献することができる。
本発明の電子カード装着装置に第１の電子カードを収納すると、薄肉の第２本体部がフレームの部品収納部上の狭い空間に収まり、第２の電子カードを収納するとカード全体が部品収納部に乗り上げて、ホルダ及び蓋体が電子機器本体より突出して保持され、機器の利用スペースの効率化を図っている。
【００３４】
本発明の電子カード装着装置においては、第１の電子カードと第２の電子カードを共通に収納可能としながら、第１の電子カードを収納した場合には電子機器本体より電子カードの挿入装着部分が突出することがなく、電子機器の小型化を図ることができる。
本発明の電子カード装着装置においては、ホルダが電子カードの挿入時又は取出し時に開放されて装着完了状態に閉鎖される蓋体を一体的に構成しており、電子機器の部品点数を低減し、蓋体部分の占有寸法の縮小を図ることが可能となる。
本発明の電子カード装着装置によれば、電子機器の内部空間を有効利用して電子機器本体全体として小型化に大きく貢献することができる。
【００３５】
本発明の電子カード装着装置によれば、第１の電子カードと第２の電子カードを構造的に区分することなく保持することが可能となり、電子カード装着装置の構成を簡略化することが可能となる。
本発明の電子カード装着装置によれば、電子機器本体側端子の構成、動作に拘らず電子カードの着脱操作を簡易な動作で確実に行うことが可能となり、電子カードの保持、接続、及び操作性の信頼性を向上させることができる。
本発明の電子カード装着装置によれば、電子機器本体側端子と基板間の結線手段を廃することが可能であり、接続の信頼性の向上、構造の簡易化、及び電子機器の小型化に貢献するという効果を有する。
【図面の簡単な説明】
【図１】実施の形態１の電子カード装着装置に装填される第１の電子カードを示す側面図である。
【図２】実施の形態１の電子カード装着装置に装填される第２の電子カードを示す側面図である。
【図３】記録媒体である第１の電子カード８を電子カード装着装置に対して挿入途中の状態を示す断面図である。
【図４】第１の電子カード８が挿入された電子カード装着装置の蓋体の開閉動作を示す断面図である。
【図５】第１の電子カード８が電子カード装着装置の内部に装填された状態を示す断面図である。
【図６】図５に示すように第１の電子カード８が装填された電子カード装着装置の内部機構の側面状態を示す断面図である。
【図７】図５の電子カード装着装置を右側から見た横断面図である。
【図８】図５の電子カード装着装置を左側から見た横断面図である。
【図９】第２の電子カード９が実施の形態１の電子カード装着装置に挿入された状態を示す断面図である。
【図１０】第２の電子カード９が電子カード装着装置の内部に装填された状態を示す断面図である。
【図１１】図１０に示すように第２の電子カード９が装填された電子カード装着装置の内部機構の側面状態を示す断面図である。
【図１２】厚みの薄い従来の電子カードを電子カード装着装置に収納接続した状態を示す断面図である。
【図１３】厚みの厚い従来の電子カードを電子カード装着装置に収納接続した状態を示す断面図である。
【符号の説明】
１    フレーム
１ａ  ガイド部
１ｂ  長孔
１ｃ  段差部
２    接点ベース
２ａ  接点端子
２ｂ  軸受
２ｃ  ばね受
２ｄ  フラットリード
３    ホルダ
３ａ  支軸
４    ロック手段
５    蓋体
６    電子機器本体
７    基板
７ａ  構成部品
８    第１の電子カード
８ａ  第１本体部
８ｂ  第２本体部
８ｃ  接点部
９    第２の電子カード
９ａ  本体部
９ｂ  接点部
【図１】
2004318265.tif 000003
【図２】
2004318265.tif 000004
【図３】
2004318265.tif 000005
【図４】
2004318265.tif 000006
【図５】
2004318265.tif 000007
【図６】
2004318265.tif 000008
【図７】
2004318265.tif 000009
【図８】
2004318265.tif 000010
【図９】
2004318265.tif 000011
【図１０】
2004318265.tif 000012
【図１１】
2004318265.tif 000013
【図１２】
2004318265.tif 000014
【図１３】
2004318265.tif 000015